(57)【要約】【課題】  保管場所をエレベータから離れた場所に設ける必要がなく、よって、保管場所からの運搬作業を行う必要がなく、また、保守点検スペースを完全に覆うことにより外部から保守点検作業が見られることを防止することができ、かつこの保守点検作業によって発生する粉塵、煙、あるいは騒音などが外部に漏れることを抑止することができるエレベータ保守点検装置を提供する。【解決手段】  保守点検スペースを形成するエレベータ保守点検装置は、エレベータの開閉扉の上方に設けられた幕板収納部と、幕板収納部に収納され、保守点検スペースの上方に移動可能な幕板と、幕板に取り付けられた点検シートとを備えている。点検シートは、この幕板から下方に垂れ下がることができ、保守点検スペースを側方から囲む。また、幕板を駆動する駆動装置が設けられている。【選択図】  図１
2005255279.tif 000002
【特許請求の範囲】
【請求項１】
開閉扉を有するエレベータの乗降口において保守点検スペースを形成するエレベータ保守点検装置において、
前記エレベータの開閉扉の上方に設けられた幕板収納部と、
前記幕板収納部に収納され、前記保守点検スペースの上方に移動可能な幕板と、
前記幕板に取り付けられ、当該幕板から下方に垂れ下がることができ、前記保守点検スペースを側方から囲む点検シートと、
前記幕板を駆動する駆動装置とを備えたことを特徴とするエレベータ保守点検装置。
【請求項２】
前記点検シートに取り付けられ、前記幕板から下方に垂れ下がった当該点検シートを幕板側へ移動させる点検シート移動部材を更に備えたことを特徴とする請求項１に記載のエレベータ保守点検装置。
【請求項３】
前記点検シートは複数のシート部分を有し、
一方のシート部分と他方のシート部分とを連結する連結部材を更に備えたことを特徴とする請求項１または２に記載のエレベータ保守点検装置。
【請求項４】
前記エレベータの乗降口の近傍において発生した火災を検知して報知する火災報知器と、
前記点検シートを解放自在に前記幕板に保持する保持装置と、
前記火災報知器からの情報に基づいて前記駆動装置が前記幕板収納部に収納された幕板を前記保守点検スペース上方まで駆動し、前記保持装置による点検シートの保持を解放して当該点検シートを幕板から下方に垂れ下がらせる制御装置とを更に備えたことを特徴とする請求項１乃至３のいずれかに記載のエレベータ保守点検装置。
【発明の詳細な説明】
【技術分野】
【０００１】
本発明は、開閉扉を有するエレベータの乗降口において保守点検スペースを形成するエレベータ保守点検装置に関する。
【背景技術】
【０００２】
エレベータの保守点検を行う際に、当該エレベータにおける開閉扉の前に、作業員が保守点検作業を行うための保守点検スペースを設ける必要がある。このような場合、第三者に対する安全を確保するために、エレベータ保守点検装置が用いられている（例えば、特許文献１および２参照）。
【０００３】
【特許文献１】特開２００２−１８７６７７号公報
【特許文献２】特開２００２−３０２３５５号公報
【０００４】
従来のエレベータ保守点検装置について図５を用いて説明する。図５は、従来のエレベータ保守点検装置１を示す斜視図である。
このエレベータ保守点検装置１は、エレベータ２における開閉扉３の前の乗降口の近傍４の保守点検スペース５（図５において鎖線で表示されるスペース）の周囲を囲む点検柵６を有している。この点検柵６の高さは、例えば床面７から人間の腰の位置の高さまでとなっている。
この点検柵６の前面には例えば「点検中」という第三者の注意を喚起する文字が書かれており、このような点検柵６を設けることにより、第三者はエレベータ２が保守点検中であることを視認することができ、第三者の保守点検スペース５への侵入を防ぐことができる。
【発明の開示】
【発明が解決しようとする課題】
【０００５】
図５に示すエレベータ保守点検装置１の点検柵６は、一般にエレベータ２の開閉扉３から離れた場所に設けられた点検柵保管場所（図示せず）に保管されている。このため、エレベータ２の保守点検を行う際にこの点検柵保管場所からエレベータ２の乗降口の近傍４まで点検柵６を運ぶ必要があり、また、エレベータ２の保守点検が終了したら再び点検柵６を点検柵保管場所に戻す必要がある。
また、このような点検柵６によっては完全に保守点検スペース５を囲むことができず、外部からエレベータ２の保守点検作業が見られるという問題やこの保守点検作業によって発生する粉塵、煙、あるいは騒音などが外部に漏れることを抑止することができないという問題がある。
【０００６】
本発明はこのような点を考慮してなされたものであり、保管場所をエレベータから離れた場所に設ける必要がなく、よって、保管場所からの運搬作業を行う必要がなく、また、保守点検スペースを完全に覆うことにより外部から保守点検作業が見られることを防止することができ、かつこの保守点検作業によって発生する粉塵、煙、あるいは騒音などが外部に漏れることを抑止することができるエレベータ保守点検装置を提供することを目的とする。
【課題を解決するための手段】
【０００７】
本発明は、開閉扉を有するエレベータの乗降口において保守点検スペースを形成するエレベータ保守点検装置において、前記エレベータの開閉扉の上方に設けられた幕板収納部と、前記幕板収納部に収納され、前記保守点検スペースの上方に移動可能な幕板と、前記幕板に取り付けられ、当該幕板から下方に垂れ下がることができ、前記保守点検スペースを側方から囲む点検シートと、前記幕板を駆動する駆動装置とを備えたことを特徴とするエレベータ保守点検装置である。
【０００８】
本発明のエレベータ保守点検装置においては、前記点検シートに取り付けられ、前記幕板から下方に垂れ下がった当該点検シートを幕板側へ移動させる点検シート移動部材を更に備えたことが好ましい。
【０００９】
本発明のエレベータ保守点検装置においては、前記点検シートは複数のシート部分を有し、一方のシート部分と他方のシート部分とを連結する連結部材を更に備えたことが好ましい。
【００１０】
本発明のエレベータ保守点検装置においては、前記エレベータの乗降口の近傍において発生した火災を検知して報知する火災報知器と、前記点検シートを解放自在に前記幕板に保持する保持装置と、前記火災報知器からの情報に基づいて前記駆動装置が前記幕板収納部に収納された幕板を前記保守点検スペース上方まで駆動し、前記保持装置による点検シートの保持を解放して当該点検シートを幕板から下方に垂れ下がらせる制御装置とを更に備えたことが好ましい。
【発明の効果】
【００１１】
本発明によれば、エレベータ保守点検装置において、保管場所をエレベータから離れた場所に設ける必要がなく、よって、保管場所からの運搬作業を行う必要がない。また、保守点検スペースを完全に覆うことにより外部から保守点検作業が見られることを防止することができ、かつこの保守点検作業によって発生する粉塵、煙、あるいは騒音などが外部に漏れることを抑止することができる。
【発明を実施するための最良の形態】
【００１２】
次に、図１乃至図４を用いて本発明の実施の形態について説明する。
図１は、本発明の実施の形態のエレベータ保守点検装置８の構成を示す斜視図であり、図２は、図１のエレベータ保守点検装置８を側方から見た横断面図であり、図３は、図１のエレベータ保守点検装置８の点検シート移動部材９を示す説明図であり、図４は、エレベータ保守点検装置８の連結部材１０を示す説明図である。
【００１３】
図１および図２に示すように、エレベータ保守点検装置８は、開閉扉３を有するエレベータ２の乗降口の近傍４において略直方体形状の保守点検スペース５を形成するものである。このエレベータ保守点検装置８は、エレベータ２の開閉扉３の上方に設けられた幕板収納部１１と、この幕板収納部１１に収納され、保守点検スペース５の上方に移動可能な長方形の幕板１２と、この幕板１２に取り付けられ、当該幕板１２から下方に垂れ下がることができ、保守点検スペース５を側方から囲む点検シート１３とを備えている。また、幕板収納部１１には、例えばモータ１４を有する駆動装置１５が設けられており、この駆動装置１５は幕板１２を駆動する。
【００１４】
駆動装置１５には歯車１６が接続されており、この歯車１６と幕板１２とを連結するようアーム１７が設けられている。また、幕板１２には、この幕板１２を幕板収納部１１内の領域と保守点検スペース５の上方との間において矢印方向Ｌに移動自在とするためのヒンジ１８が取り付けられている。そして、駆動装置１５は、幕板１２がヒンジ１８を軸として前方下方に９０度回転すると停止するようになっている。
エレベータ２が設置されるビルの壁には、開閉扉３の近傍に、駆動装置１５の駆動を操作するキースイッチ１９が設置されている。
【００１５】
点検シート１３は、略直方体形状の保守点検スペース５の前面に垂れ下がる前面シート部分２０と、保守点検スペース５の両側の側面に垂れ下がる２つの側面シート部分２１、２２とからなり、これらの点検シート１３のシート部分２０、２１および２２は、幕板１２から床面７まで自重により垂れ下がる。点検シート１３の前面シート部分２０には、例えば「点検中」という第三者の注意を喚起する文字が書かれており、これにより、第三者はエレベータ２が保守点検中であることを視認することができる。
幕板１２は、内部に点検シート収納スペース（図示せず）を有しており、点検シート１３は、例えば折りたたむことにより、あるいは筒状に丸められることによりこの幕板１２の点検シート収納スペースにまとめて収納される。
【００１６】
次に、このような構成からなる本実施の形態の作用について説明する。
幕板１２が幕板収納部１１に収納されている状態において、キースイッチ１９を例えば駆動装置１５の駆動開始の方向に倒すと、この駆動装置１５のモータ１４が駆動し、駆動装置１５に取り付けられた歯車１６が回転してアーム１７が幕板１２を幕板収納部１１の外方に押し出すよう駆動する。このことにより、ヒンジ１８が回転して幕板１２が保守点検スペース５の上方に移動する。
そして、幕板１２が保守点検スペース５の上方に移動した後、点検シート１３を幕板１２に固定する図示しない係止手段を取り外す。この場合、幕板１２に収納された点検シート１３が床面７まで自重により垂れ下がる。
【００１７】
このように、本発明のエレベータ保守点検装置８は、エレベータ２から離れた場所に保管場所を設ける必要がなく、よって、保管場所からの運搬作業を行う必要がない。また、幕板１２が保守点検スペース５の上方を、点検シート１３が保守点検スペース５の周囲を囲むので、保守点検スペース５を完全に覆うことができ、外部から保守点検作業が見られることはない。また、この保守点検作業によって発生する粉塵、煙、あるいは騒音などが外部に漏れることを抑止することができる。
【００１８】
次に、本発明の変形例について説明する。
本実施の形態のエレベータ保守点検装置８は、点検シート１３に取り付けられ、幕板１２から下方に垂れ下がったこの点検シート１３を幕板１２側へ移動させる点検シート移動部材９を更に備えてもよい。この点検シート移動部材９は、図３に示すように、点検シート１３に縦に並ぶよう取り付けられた複数のリング２３と、これらのリング２３を通るように設けられ、点検シート１３を巻き取るための点検シート移動ヒモ２４を有する。
この点検シート移動部材９における点検シート移動ヒモ２４の片端は、点検シート１３における床面７側の端部と連結されている。
上記の点検シート移動ヒモ２４としては、例えばワイヤーを使用することができる。
【００１９】
図３において、点検シート移動ヒモ２４を引くことによって幕板１２から下方に垂れ下がった点検シート１３を上方に巻き取りながら幕板１２側へ移動させることができる。
このことにより、上記のエレベータ保守点検装置８においては、簡易かつ安価で幕板１２から垂れ下がった点検シート１３をこの幕板１２にまとめて移動させることができる。
【００２０】
さらに、本実施の形態のエレベータ保守点検装置８においては、図４に示すように、点検シート１３における前面シート部分２０と、側面シート部分２１、２２との間に、これらのシート部分２０、２１および２２を連結するための２つの連結部材１０を取り付けてもよい。
この連結部材１０としては、例えばジッパーやマジックテープを使用することができる。
【００２１】
図４において、点検シート１３が幕板１２から垂れ下がったときに、各連結部材１０により、点検シート１３における前面シート部分２０と、側面シート部分２１、２２とを連結することができ、これにより、これらの前面シート部分２０と、側面シート部分２１、２２とが一体化されて幕板１２から垂れ下がった点検シート１３を得ることができる。
図４に示すエレベータ保守点検装置８においては、保守点検作業において発生する粉塵、煙、あるいは騒音などが外部に漏れることをより完全に抑止することができる。
【００２２】
また、本実施の形態のエレベータ保守点検装置８は、図１に示すように、エレベータ２の乗降口の近傍４において発生した火災を検知して報知する火災報知器２５と、点検シート１３を解放自在に幕板１２に保持する保持装置２６と、火災報知器２５からの情報に基づいて駆動装置１５が幕板収納部１１に収納された幕板１２を保守点検スペース５の上方まで駆動し、保持装置２６による点検シート１３の保持を解放してこの点検シート１３を幕板１２から下方に垂れ下がらせる制御装置２７とを更に備えてもよい。
【００２３】
次にこのような火災報知器２５と、保持装置２６と、制御装置２７とを有するエレベータ保守点検装置８の作用について説明する。このエレベータ保守点検装置８においては、制御装置２７によって以下に示す制御が行われる。すなわち、エレベータ２の乗降口の近傍４付近において火災が発生したときに、火災報知器２５がこの火災を検知し、駆動装置１５に駆動信号を送ることによってこの駆動装置１５が幕板収納部１１に収納された幕板１２を保守点検スペース５の上方まで駆動する。そして、この火災報知器２５による検知に基づいて、次に保持装置２６は幕板１２から点検シート１３を下方に垂れ下がるよう解放する。
このことにより、上記のエレベータ保守点検装置８においては、火災発生などの緊急時においても自動的に保守点検スペース５を幕板１２および点検シート１３によって囲むことができる。このため、例えばエレベータ２の乗降口側の火災による煙がこのエレベータ２内に流れ込むことを自動的に抑制することができる。
【００２４】
上記の構成においては、火災報知器２５の代わりに、地震を検知する地震検知器を用いることもできる。この場合においても火災報知器２５を設置した場合と同様の作用を行う。
【図面の簡単な説明】
【００２５】
【図１】本発明の実施の形態のエレベータ保守点検装置の構成を示す斜視図
【図２】図１のエレベータ保守点検装置を側方から見た横断面図
【図３】図１のエレベータ保守点検装置の点検シート移動部材を示す説明図
【図４】エレベータ保守点検装置の連結部材を示す説明図
【図５】従来のエレベータ保守点検装置の構成を示す斜視図
【符号の説明】
【００２６】
１  エレベータ保守点検装置
２  エレベータ
３  開閉扉
４  乗降口の近傍
５  保守点検スペース
６  点検柵
７  床面
８  エレベータ保守点検装置
９  点検シート移動部材
１０  連結部材
１１  幕板収納部
１２  幕板
１３  点検シート
１４  モータ
１５  駆動装置
１６  歯車
１７  アーム
１８  ヒンジ
１９  キースイッチ
２０  前面シート部分
２１、２２  側面シート部分
２３  リング
２４  点検シート移動ヒモ
２５  火災報知器
２６  保持装置
２７  制御装置
【図１】
2005255279.tif 000003
【図２】
2005255279.tif 000004
【図３】
2005255279.tif 000005
【図４】
2005255279.tif 000006
【図５】
2005255279.tif 000007